(57)【要約】【課題】使い勝手を向上させることができる電気かみそりを提供する。【解決手段】外刃ブロック１３ａ〜１３ｄ及び支持体２１ａ〜２１ｄからなる複数の外刃ブロック１３ａ〜１３ｄと、各外刃ブロック１３ａ〜１３ｄの内側に配置された内刃３１ａ〜３１ｄと、電気かみそり１のヘッド部１１に設けられ、外刃ブロック１３ａ〜１３ｄがそれぞれ着脱可能に装着される複数のブロック装着部１４ａ〜１４ｄを有する保持枠部１２とを備え、複数の外刃は２つ以上の異なる種類のもの（粗剃り用の各ネット外刃２１ａ，２１ｄ、仕上げ用のネット外刃２２ｂ及びスリット外刃２２ｃ）から構成され、その外刃２２ａ〜２２ｄを有する各外刃ブロック１３ａ〜１３ｄが、保持枠部１２に複数設けられたブロック装着部１４ａ〜１４ｄのいずれにも装着可能となるように構成される。【選択図】図１
2011067348.tif 000002
【特許請求の範囲】
【請求項１】
体毛が導入可能な外刃及び該外刃を支持する支持体からなる複数の外刃ブロックと、
前記各外刃の内側に配置され、内刃駆動手段の駆動に基づいて往復駆動される内刃と、
電気かみそりの本体部に設けられ、前記外刃ブロックがそれぞれ着脱可能に装着される複数のブロック装着部を有する保持枠部と
を備えた電気かみそりであって、
複数の前記外刃は、２つ以上の異なる種類のものから構成され、
前記各外刃ブロックは、前記複数のブロック装着部のいずれにも選択的に装着可能となるように構成されたことを特徴とする電気かみそり。
【請求項２】
請求項１に記載の電気かみそりにおいて、
複数の前記支持体にはそれぞれ、前記各ブロック装着部に設けられた保持枠側係合部と係合可能なブロック側係合部が設けられ、
前記ブロック側係合部と前記保持枠側係合部との係合状態において前記外刃ブロックの前記ブロック装着部への装着状態が保持され、
前記ブロック側係合部と前記保持枠側係合部との係合が解除された状態において前記外刃ブロックが前記保持枠部から取り外し可能となるように構成されたことを特徴とする電気かみそり。
【請求項３】
請求項２に記載の電気かみそりにおいて、
前記各支持体の前記ブロック側係合部は全て同一形状であり、前記各保持枠側係合部も全て同一形状であることを特徴とする電気かみそり。
【請求項４】
請求項２又は３に記載の電気かみそりにおいて、
前記保持枠部の各ブロック装着部における前記保持枠側係合部の近傍には、窓部が形成され、該窓部から前記ブロック側係合部と前記保持枠側係合部との係合状態を解除することが可能となるように構成されたことを特徴とする電気かみそり。
【請求項５】
請求項１〜４のいずれか１項に記載の電気かみそりにおいて、
前記各外刃ブロックは、前後方向幅が互いに等しく設定されるとともに、左右方向幅も互いに等しく設定されたことを特徴とする電気かみそり。
【請求項６】
請求項１〜５のいずれか１項に記載の電気かみそりにおいて、
前記保持枠部は、前記電気かみそりの本体部に一体に形成されたことを特徴とする電気かみそり。
【発明の詳細な説明】
【技術分野】
【０００１】
本発明は、複数の外刃を有する電気かみそりに関するものである。
【背景技術】
【０００２】
従来、電気かみそりは、体毛が導入可能な外刃及び該外刃を支持する支持体からなる複数の外刃ブロックと、各外刃の内側に配置され内刃駆動手段の駆動に基づいて往復駆動される内刃と、電気かみそりの本体部に設けられ外刃ブロックがそれぞれ着脱可能に装着されるブロック装着部を保持する保持枠部とを備えている（例えば特許文献１参照）。そして、外刃ブロックの外刃内に導入された髭等の体毛がその外刃と電磁アクチュエータにて往復振動する内刃とで挟んで切除されるようになっている。このような電気かみそりにおいて、外刃が複数の種類から構成されているものがあり、外刃の種類としては、粗剃り用のネット外刃や、長い体毛を剃るのに適したスリット外刃や、仕上げ用ネット外刃等が知られている。
【先行技術文献】
【特許文献】
【０００３】
【特許文献１】特開平６−１８２０６２号公報
【発明の概要】
【発明が解決しようとする課題】
【０００４】
上記したような電気かみそりでは、各種の役割を有する外刃（外刃ブロック）を有しているため、剃り味が向上されてはいるものの、ユーザーの使用態様に応じた使い勝手を向上させるために更なる改善の余地があった。
【０００５】
本発明は、上記課題を解決するためになされたものであって、その目的は、使い勝手を向上させることができる電気かみそりを提供することにある。
【課題を解決するための手段】
【０００６】
上記課題を解決するために、請求項１に記載の発明は、体毛が導入可能な外刃及び該外刃を支持する支持体からなる複数の外刃ブロックと、前記各外刃の内側に配置され、内刃駆動手段の駆動に基づいて往復駆動される内刃と、電気かみそりの本体部に設けられ、前記外刃ブロックがそれぞれ着脱可能に装着される複数のブロック装着部を有する保持枠部とを備えた電気かみそりであって、複数の前記外刃は、２つ以上の異なる種類のものから構成され、前記各外刃ブロックは、前記複数のブロック装着部のいずれにも選択的に装着可能となるように構成されたことを特徴とする。
【０００７】
この発明では、複数の外刃は２つ以上の異なる種類のものから構成され、その外刃を有する各外刃ブロックが、保持枠部に複数設けられたブロック装着部のいずれにも装着可能となるように構成される。これにより、電気かみそりの使用態様に応じてユーザーが外刃ブロックの装着位置をカスタマイズすることが可能となり、電気かみそりの使い勝手を向上させることができる。
【０００８】
請求項２に記載の発明は、請求項１に記載の電気かみそりにおいて、複数の前記支持体にはそれぞれ、前記各ブロック装着部に設けられた保持枠側係合部と係合可能なブロック側係合部が設けられ、前記ブロック側係合部と前記保持枠側係合部との係合状態において前記外刃ブロックの前記ブロック装着部への装着状態が保持され、前記ブロック側係合部と前記保持枠側係合部との係合が解除された状態において前記外刃ブロックが前記保持枠部から取り外し可能となるように構成されたことを特徴とする。
【０００９】
この発明では、外刃ブロック及びブロック装着部にはそれぞれ、外刃ブロックの着脱のためのブロック側係合部及び保持枠側係合部が設けられるため、外刃ブロックを安定して保持しつつも、その着脱を容易にすることが可能となる。
【００１０】
請求項３に記載の発明は、請求項２に記載の電気かみそりにおいて、前記各支持体の前記ブロック側係合部は全て同一形状であり、前記各保持枠側係合部も全て同一形状であることを特徴とする。
【００１１】
この発明では、各外刃ブロックをブロック装着部のいずれにも装着可能とするためにより好適な構成となる。
請求項４に記載の発明は、請求項２又は３に記載の電気かみそりにおいて、前記保持枠部の各ブロック装着部における前記保持枠側係合部の近傍には、窓部が形成され、該窓部から前記ブロック側係合部と前記保持枠側係合部との係合状態を解除することが可能となるように構成されたことを特徴とする。
【００１２】
この発明では、保持枠部の窓部からブロック側係合部と保持枠側係合部との係合状態を解除することが可能となるため、外刃ブロックの取り外しを容易に行うことができる。
請求項５に記載の発明は、請求項１〜４のいずれか１項に記載の電気かみそりにおいて、前記各外刃ブロックは、前後方向幅が互いに等しく設定されるとともに、左右方向幅も互いに等しく設定されたことを特徴とする。
【００１３】
この発明では、外刃ブロックとブロック装着部との組み合わせに関わらず、外刃ブロックと保持枠部との間や各外刃ブロック間に生じる隙間を小さく抑えることが可能となる。その結果、切断した体毛がその隙間から放出されることを抑制でき、また、保持枠部、ひいては電気かみそりの小型化に貢献できる。
【００１４】
請求項６に記載の発明は、請求項１〜５のいずれか１項に記載の電気かみそりにおいて、前記保持枠部は、前記電気かみそりの本体部に一体に形成されたことを特徴とする。
この発明では、保持枠部が電気かみそりの本体部に一体に形成されるため、従来技術のように保持枠部を電気かみそりの本体部とは別の部材として構成する必要がなくなり、その結果、部材点数の増加を抑えることが可能となる。
【発明の効果】
【００１５】
従って、上記記載の発明によれば、電気かみそりの使い勝手を向上させることができることができる。
【図面の簡単な説明】
【００１６】
【図１】本実施形態の電気かみそり（ヘッド部分）を示す斜視図。
【図２】電気かみそりの平面図。
【図３】（ａ）外刃ブロックの正面図、（ｂ）外刃ブロックの一部を示す側面図。
【図４】（ａ）〜（ｄ）係合爪及び係合溝を説明するための断面図。
【図５】外刃ブロックの組み合わせの一例を示す電気かみそりの平面図。
【図６】外刃ブロックの組み合わせの一例を示す電気かみそりの平面図。
【発明を実施するための形態】
【００１７】
以下、本発明を具体化した一実施形態を図面に従って説明する。
図１に示すように、本実施形態の電気かみそり１は、ヘッド部１１（本体部）の上部に保持枠部１２を有し、保持枠部１２には４つの外刃ブロック１３ａ，１３ｂ，１３ｃ，１３ｄが保持されている。尚、電気かみそり１の本体部はヘッド部１１と、該ヘッド部１１を支持する図示しない胴部とから構成されている。
【００１８】
保持枠部１２は、ヘッド部１１のハウジング１１ａと一体をなしており、その保持枠部１２の内側には、外刃ブロック１３ａ〜１３ｄが装着される４つのブロック装着部１４ａ，１４ｂ，１４ｃ，１４ｄが前後方向に並んで設けられている。保持枠部１２は、左右方向に対向する一対の側壁部１２ａと、前後方向に対向する一対の側壁部１２ｂとを有し、その各側壁部１２ａ，１２ｂがブロック装着部１４ａ〜１４ｄを構成している。
【００１９】
外刃ブロック１３ａ〜１３ｄはそれぞれ、ブロック装着部１４ａ〜１４ｄに着脱可能に保持された樹脂製の支持体２１ａ，２１ｂ，２１ｃ，２１ｄと、支持体２１ａ〜２１ｄにそれぞれ支持された外刃２２ａ，２２ｂ，２２ｃ，２２ｄとから構成されている。４つの外刃は、粗剃り用のネット外刃２２ａ，２２ｄ（２つ）、仕上げ用のネット外刃２２ｂ、及びスリット外刃２２ｃの３種類で構成されている。尚、図１に示す構成では、手前側から粗剃り用のネット外刃２２ａ、仕上げ用のネット外刃２２ｂ、スリット外刃２２ｃ、粗剃り用のネット外刃２２ｄの順で装着されている。
【００２０】
各粗剃り用のネット外刃２２ａ，２２ｄと仕上げ用のネット外刃２２ｂは、金属薄板に多数の孔（図示略）が形成された網状のものであり、長手方向から見て湾曲形状をなしている。仕上げ用のネット外刃２２ｂは、粗剃り用のネット外刃２２ａ，２２ｄに比べて体毛が導入しやすい構造（例えば、粗剃り用のネット外刃２２ａよりも板厚が薄い構造）を有しており、短い体毛を剃るのに適している。そして、スリット外刃２２ｃは、複数のスリット状の孔を有し、長い体毛が導入しやすい構造となっている。
【００２１】
各外刃２２ａ〜２２ｄの内側にはそれぞれ、ヘッド部１１内に設けられたモータ１５の駆動により往復振動される内刃３１ａ，３１ｂ，３１ｃ，３１ｄが設けられており、その各内刃３１ａ〜３１ｄは、図示しないスプリング等の付勢手段によって外刃２２ａ〜２２ｄの内面にそれぞれ押圧されている。尚、内刃３１ａ〜３１ｄは、外刃ブロック１３ａ〜１３ｄにそれぞれ対応した形状を有している。
【００２２】
本実施形態では、内刃３１ａ〜３１ｄは、外刃ブロック１３ａ〜１３ｄにそれぞれ保持されている。つまり、内刃３１ａ〜３１ｄはそれぞれ外刃ブロック１３ａ〜１３ｄと一体となるように構成されている。そして、各内刃３１ａ〜３１ｄは、各外刃ブロック１３ａ〜１３ｄが各ブロック装着部１４ａ〜１４ｄに装着されることで、モータ１５と駆動連結され、モータ１５の駆動力が各内刃３１ａ〜３１ｄに伝達可能となる。
【００２３】
モータ１５は、前記胴部に設けられた操作スイッチ（図示略）の操作に基づき駆動され、その駆動力にて各内刃３１ａ〜３１ｄが往復振動される。そして、各外刃２２ａ〜２２ｄ内に導入された髭等の体毛がその外刃２２ａ〜２２ｄと往復振動する内刃３１ａ〜３１ｄとで挟んで切除されるようになっている。
【００２４】
上記したような各外刃ブロック１３ａ〜１３ｄは、図２に示すように、その前後方向幅Ａ１〜Ａ４が互いに等しく設定されるとともに、その左右方向幅Ｂ（ブロック装着部１４ａ〜１４ｄの一対の側壁部１２ａ間に嵌められている部分の幅）も互いに等しく設定されている。また、各ブロック装着部１４ａ〜１４ｄは、その前後方向幅が互いに等しく設定されるとともに、その左右方向幅も互いに等しく設定されている。
【００２５】
各外刃ブロック１３ａ〜１３ｄにおいて、その支持体２１ａ〜２１ｄの長手方向両端部の側壁４１にはそれぞれ、矩形状の開口４１ａの下端から上方に延びる係合爪４２が形成されている（図３（ａ）（ｂ）参照）。尚、各外刃ブロック１３ａ〜１３ｄの各係合爪４２は全て同一形状であり、そのため、図３及び図４では外刃ブロック１３ａを例にとって図示している。各係合爪４２の上端には、長手方向外側に突出する爪部４２ａが形成され、その爪部４２ａの先端には傾斜部４２ｂが形成されている（図４（ａ）参照）。
【００２６】
一方、各ブロック装着部１４ａ〜１４ｄを構成する一対の側壁部１２ａにはそれぞれ、係合爪４２の爪部４２ａを上方から挿入可能な係合溝５１が形成されている。尚、係合溝５１は、各ブロック装着部１４ａ〜１４ｄに２つ形成され、全部で８つ形成されている。各係合溝５１は、図４（ａ）に示すように、係合溝５１の爪部４２ａが挿入される挿入口５１ａを側壁部１２ａの上端部に有している。各係合溝５１は、挿入口５１ａから下方に延びるとともに、各係合溝５１の上下方向中間部には、爪部４２ａの上面と上下方向に当接する当接部５２が形成されている。尚、各係合溝５１の当接部５２は、互いに全て同一形状となっている。
【００２７】
各外刃ブロック１３ａ〜１３ｄは、図示しないスプリング等の付勢手段により上方に付勢されており、その付勢力にて各係合爪４２の爪部４２ａは、係合溝５１の当接部５２に対して弾性的に当接するようになっている。これにより、各外刃ブロック１３ａ〜１３ｄは、上方からの負荷がかかっていない状態では、爪部４２ａが当接部５２に当接する位置で保持され、上方から負荷がかかると下方に移動（フロート）する。つまり、各外刃ブロック１３ａ〜１３ｄは、一対の側壁部１２ａ間においてフロート可能に保持されるようになっている。
【００２８】
係合溝５１は、当接部５２と上下方向に対向する下端部５３を有している。係合溝５１の下端部５３は、当接部５２よりも内側（外刃ブロック１３ａ側）まで延びており、外刃ブロック１３ａ〜１３ｄが下方に押圧された状態において、爪部４２ａの下面と係合溝５１の下端部５３とが当接可能となっている。係合溝５１の当接部５２及び下端部５３は、それぞれ上方向及び下方向への係合爪４２の抜け止めの役割を果たしている。つまり、各外刃ブロック１３ａ〜１３ｄは、当接部５２と下端部５３との間隔だけ上下方向の移動が許容されている。
【００２９】
各係合溝５１には、側壁部１２ａを左右方向に貫通する窓部５４が、当接部５２と上下方向の位置が重なるように形成されている。図４（ｄ）に示すように、窓部５４から挿入した治具６０で係合爪４２の爪部４２ａを内側に押し込むことで、爪部４２ａと当接部５２との上下方向の係合状態を解除することが可能となっており、これにより各外刃ブロック１３ａ〜１３ｄがブロック装着部１４ａ〜１４ｄから取り外し可能となる。
【００３０】
外刃ブロック１３ａを例えばブロック装着部１４ａに装着する際には、まず図４（ｂ）に示すように、外刃ブロック１３ａをブロック装着部１４ａに対し、付勢手段の付勢力に抗して上方から挿入する。すると、係合爪４２の爪部４２ａの傾斜部４２ｂが係合溝５１に当接して係合爪４２が内側に撓み（図４（ｃ）参照）、そのままの状態で外刃ブロック１３ａを更に下方に挿入すると、係合爪４２が弾性復帰し、爪部４２ａの上面が当接部５２と当接する（図４（ａ）参照）。こうして外刃ブロック１３ａのブロック装着部１４ａへの装着が完了する。
【００３１】
以上のような電気かみそり１では、各外刃ブロック１３ａ〜１３ｄは、ブロック装着部１４ａ〜１４ｄのいずれにも着脱可能に装着することが可能となっている。それにより、例えば図２に示すような、前後方向の両端がそれぞれ粗剃り用のネット外刃２２ａ，２２ｄとなっている各外刃ブロック１３ａ〜１３ｄの配置を、例えば図５に示すような、スリット外刃２２ｃが前後方向の端に位置する各外刃ブロック１３ａ〜１３ｄの配置に変更することが可能となっている。尚、スリット外刃２２ｃが前後方向の端に位置する構成では、スリット外刃２２ｃが肌に当たりやすくなるため、そのスリット外刃２２ｃを有する外刃ブロック１３ｃにて、もみあげやえりあし等の際剃りをするのに適している。
【００３２】
また、他にも例えば図５に示す構成から、ブロック装着部１４ａに装着された外刃ブロック１３ａを交換用に用意したスリット外刃２２ｅを有する外刃ブロック１３ｅに装着しなおして、図６に示すように、ブロック装着部１４ａ，１４ｄにスリット外刃２２ｃ，２２ｅを有する外刃ブロック１３ｃ，１３ｅがそれぞれ装着された構成としてもよい。尚、外刃ブロック１３ｅは、外刃ブロック１３ｃと同様の構成であり、スリット外刃２２ｅ、支持体２１ｅ及び内刃３１ｅを有する。このような外刃ブロックの交換の例は他にも様々あり、電気かみそり１の使用態様に応じてユーザーが外刃ブロックの組み合わせをカスタマイズすることが可能となっている。
【００３３】
次に、本実施形態の特徴的な作用効果を記載する。
（１）本実施形態では、複数の外刃は２つ以上の異なる種類のもの（粗剃り用の各ネット外刃２１ａ，２１ｄ、仕上げ用のネット外刃２２ｂ及びスリット外刃２２ｃ）から構成される。そして、外刃２２ａ〜２２ｄを有する各外刃ブロック１３ａ〜１３ｄが、保持枠部１２に複数設けられたブロック装着部１４ａ〜１４ｄのいずれにも装着可能となるように構成される。これにより、電気かみそり１の使用態様に応じてユーザーが外刃ブロック１３ａ〜１３ｄの装着位置をカスタマイズすることが可能となり、電気かみそり１の使い勝手を向上させることができる。
【００３４】
（２）本実施形態では、外刃ブロック１３ａ〜１３ｄ及びブロック装着部１４ａ〜１４ｄにはそれぞれ、外刃ブロック１３ａ〜１３ｄの着脱のための係合爪４２及び当接部５２が設けられるため、外刃ブロック１３ａ〜１３ｄを安定して保持しつつも、その着脱を容易にすることが可能となる。
【００３５】
（３）本実施形態では、各支持体２１ａ〜２１ｄの係合爪４２は全て同一形状であり、各ブロック装着部１４ａ〜１４ｄの当接部５２も全て同一形状であるため、各外刃ブロック１３ａ〜１３ｄをブロック装着部１４ａ〜１４ｄのいずれにも装着可能とするためにより好適な構成となる。
【００３６】
（４）本実施形態では、保持枠部１２の各ブロック装着部１４ａ〜１４ｄにおける当接部５２の近傍には、窓部５４が形成され、該窓部５４から係合爪４２と当接部５２との係合状態を解除することが可能となるように構成される。このため、各外刃ブロック１３ａ〜１３ｄの取り外しを容易に行うことができる。
【００３７】
（５）本実施形態では、各外刃ブロック１３ａ〜１３ｄは、前後方向幅Ａ１〜Ａ４及び左右方向幅Ｂが互いに等しく設定される。そのため、外刃ブロック１３ａ〜１３ｄとブロック１３ａ〜１３ｄとの組み合わせに関わらず、外刃ブロック１３ａ〜１３ｄと保持枠部１２との間や各外刃ブロック１３ａ〜１３ｄ間に生じる隙間を小さく抑えることが可能となる。その結果、切断した体毛がその隙間から放出されることを抑制でき、また、保持枠部１２、ひいては電気かみそり１の小型化に貢献できる。
【００３８】
（６）本実施形態では、保持枠部１２が電気かみそり１の本体部（ヘッド部１１）に一体に形成されるため、従来技術のように保持枠部１２を電気かみそり１の本体部とは別の部材として構成する必要がなくなり、その結果、部材点数の増加を抑えることが可能となる。
【００３９】
尚、本発明の実施形態は、以下のように変更してもよい。
・上記実施形態では、外刃ブロック１３ｃ側に係合爪４２が形成され、ブロック装着部１４ａ側に当接部５２（係合溝５１）が形成されたが、反対に外刃ブロック１３ｃ側に係合溝５１を形成し、ブロック装着部１４ａ側に係合爪４２を形成してもよい。
【００４０】
・上記実施形態では、ブロック装着部１４ａ〜１４ｄに対する外刃ブロック１３ａ〜１３ｄの着脱構造が係合溝５１と係合爪４２とから構成されたが、特にこれに限定されるものではなく、構成に応じて適宜変更してもよい。
【００４１】
・上記実施形態では、内刃３１ａ〜３１ｄが外刃ブロック１３ａ〜１３ｄにそれぞれ保持されて、外刃ブロック１３ａ〜１３ｄとそれぞれ一体となるように構成されたが、特にこれに限定されるものではなく、各内刃３１ａ〜３１ｄがヘッド部１１側に保持されるように構成してもよい。
【００４２】
・上記実施形態では、保持枠部１２が電気かみそり１の本体部（ヘッド部１１）に一体に形成されたが、特にこれに限定されるものではなく、本体部とは別体で構成してもよい。
【００４３】
・上記実施形態では、外刃２２ａ〜２２ｄ及び交換用に用意する外刃２２ｅは、粗剃り用のネット外刃、仕上げ用のネット外刃、及びスリット外刃の３種類で構成されたが、特にこれに限定されるものではなく、それらの種類のうちの２種で構成してもよく、また、その他の種類も加えた４種以上で構成してもよい。
【００４４】
・上記実施形態では、電気かみそり１は前後方向に並んだ４つの外刃ブロック１３ａ〜１３ｄを有する所謂４枚刃の構成であったが、特にこれに限定されるものではなく、２枚刃や３枚刃、又は５枚刃以上の構成としてもよい。
【符号の説明】
【００４５】
１…電気かみそり、１１…電気かみそりの本体部を構成するヘッド部、１２…保持枠部、１３ａ〜１３ｅ…外刃ブロック、１４ａ〜１４ｄ…ブロック装着部、１５…内刃駆動手段としてのモータ、２１ａ〜２１ｄ…支持体、２２ａ〜２２ｅ…外刃、３１ａ〜３１ｅ…内刃、４２…ブロック側係合部としての係合爪、５２…保持枠側係合部としての当接部、５４…窓部。
【図１】
2011067348.tif 000003
【図２】
2011067348.tif 000004
【図３】
2011067348.tif 000005
【図４】
2011067348.tif 000006
【図５】
2011067348.tif 000007
【図６】
2011067348.tif 000008